(57)【要約】【課題】  ２つのバーナの一方のみが運転する単独運転でも、給排気トップ付近での結露の発生を少なくすることができる燃焼装置を提供する。【解決手段】  第一のバーナ１及び第二のバーナ１２と、第一のバーナ１に燃焼用空気を供給する第一の燃焼用送風機５及び第二のバーナ１２に燃焼用空気を供給する第二の燃焼用送風機１６とを備え、第一のバーナ１及び第二のバーナ１２による同時運転又は一方の単独運転を行う燃焼装置において、一方の単独運転の時、運転しないバーナ側の燃焼用送風機の回転数を運転するバーナ側の火力によって設定するので、燃焼ガスが運転しないバーナに流入するのを防止できると共に、燃焼ガスの排気温度が結露の発生が少ない適温となって、給排気トップ付近で排気ガスの温度が低くなっても、排気ガス中の水蒸気の結露の発生を少なくすることができるものである。【選択図】  図２
2016180571.tif 000002
【特許請求の範囲】
【請求項１】
燃料を燃焼させる第一のバーナ及び同じく燃料を燃焼させる第二のバーナと、前記第一のバーナに燃焼用空気を供給する第一の燃焼用送風機及び第二のバーナに燃焼用空気を供給する第二の燃焼用送風機と、一端は給排気トップに接続され、他端は分岐されて第一の燃焼用送風機及び第二の燃焼用送風機に接続され、給排気トップより流入した外気を第一の燃焼用送風機及び第二の燃焼用送風機に供給する給気管と、一端は給排気トップに接続され、他端は第一のバーナ及び第二のバーナからの燃焼ガスが合流して接続され、第一のバーナからの燃焼ガスと第二のバーナからの燃焼ガスとを集合させて給排気トップより屋外に排気する排気管とを備え、前記第一のバーナ及び第二のバーナによる同時運転又は一方の単独運転を行う燃焼装置において、一方の単独運転の時、運転しないバーナ側の燃焼用送風機の回転数を運転するバーナ側の火力によって設定することを特徴とする燃焼装置。
【請求項２】
前記運転するバーナの火力が強火力の時、運転しないバーナ側の燃焼用送風機の回転数を運転するバーナ側の燃焼用送風機の回転数よりも高い回転数に設定し、運転するバーナの火力が中火力の時、運転しないバーナ側の燃焼用送風機の回転数を運転するバーナ側の燃焼用送風機の回転数と同じ回転数に設定し、運転するバーナの火力が弱火力の時、運転しないバーナ側の燃焼用送風機の回転数を運転するバーナ側の燃焼用送風機の回転数よりも低い回転数に設定することを特徴とする請求項１記載の燃焼装置。
【発明の詳細な説明】
【技術分野】
【０００１】
本発明は、本体内にストーブ用のストーブバーナと温水暖房用のボイラバーナとを備える燃焼装置に関するものである。
【背景技術】
【０００２】
従来、この種のものに於いては、ポット式バーナからなる室内暖房用のストーブバーナと、ポット式バーナからなる床暖房等の温水暖房用のボイラバーナとを備え、各バーナには燃料タンクからの燃料を電磁ポンプで汲み上げ給油管を介して供給すると共に、燃焼用送風機により燃焼用空気を供給する。
【０００３】
そして室内暖房用のストーブバーナでは、供給された燃料と燃焼用空気により燃焼を行い、その燃焼ガスを放熱器を通過させた後給排気トップから室外に放出させ、温水暖房用のボイラバーナでは、供給された燃料と燃焼用空気により燃焼を行い、その燃焼した燃焼ガスを床暖房用放熱器と連なる熱交換器で床暖房用の熱媒と熱交換させ、該熱交換器を通過させたのち、給排気トップから室外に放出させていた。
（例えば、特許文献１参照。）
【先行技術文献】
【特許文献】
【０００４】
【特許文献１】実開平７−３２３１４号公報
【発明の概要】
【発明が解決しようとする課題】
【０００５】
ところで、この従来のものでは、ストーブバーナ及びボイラバーナへの給排気は同じ給排気経路のため、給気路からの燃焼用空気は分岐されてストーブバーナ及びボイラバーナへ供給され、ストーブバーナ及びボイラバーナからの排気ガスは集合排気管で合流して外部へ排気されるが、運転は室内暖房用のストーブバーナの単独運転、温水暖房用のボイラバーナの単独運転、室内暖房用のストーブバーナと温水暖房用のボイラバーナの同時運転を選択して運転が実施できる。
【０００６】
そこで、室内暖房用のストーブバーナの単独運転、温水暖房用のボイラバーナの単独運転を実施した場合、運転中のバーナからの排気ガスが集合排気管で再環流して運転停止中のバーナに流入してしまうため、単独運転の場合は運転停止中のバーナ側の燃焼用送風機を動作させて両方のバーナの内圧が同じになるようにして運転をしていた。
【０００７】
ところが、単独運転中のバーナの運転を最小火力にすると排気ガスの温度が低くなるが、その低い温度の排気ガスに運転停止中のバーナ側から冷たい外気が合流するため更に温度が低くなり、給排気トップ付近で排気ガス中の水蒸気が結露したり、給排気トップ付近で氷結が発生する問題があった。
【０００８】
また、単独運転中のバーナの運転を最大火力にすると排気ガスの温度が高くなるが、温度が高くなる分排気ガスに含まれる水蒸気が多くなり、給排気トップ付近で排気ガスの温度が低くなると、水蒸気を多く含んだ排気ガス中の水蒸気の結露が発生するという問題があった。
【課題を解決するための手段】
【０００９】
上記課題を解決するために、本発明の請求項１では、燃料を燃焼させる第一のバーナ及び同じく燃料を燃焼させる第二のバーナと、前記第一のバーナに燃焼用空気を供給する第一の燃焼用送風機及び第二のバーナに燃焼用空気を供給する第二の燃焼用送風機と、一端は給排気トップに接続され、他端は分岐されて第一の燃焼用送風機及び第二の燃焼用送風機に接続され、給排気トップより流入した外気を第一の燃焼用送風機及び第二の燃焼用送風機に供給する給気管と、一端は給排気トップに接続され、他端は第一のバーナ及び第二のバーナからの燃焼ガスが合流して接続され、第一のバーナからの燃焼ガスと第二のバーナからの燃焼ガスとを集合させて給排気トップより屋外に排気する排気管とを備え、前記第一のバーナ及び第二のバーナによる同時運転又は一方の単独運転を行う燃焼装置において、一方の単独運転の時、運転しないバーナ側の燃焼用送風機の回転数を運転するバーナ側の火力によって設定するものである。
【００１０】
また、請求項２では、請求項１において、前記運転するバーナの火力が強火力の時、運転しないバーナ側の燃焼用送風機の回転数を運転するバーナ側の燃焼用送風機の回転数よりも高い回転数に設定し、運転するバーナの火力が中火力の時、運転しないバーナ側の燃焼用送風機の回転数を運転するバーナ側の燃焼用送風機の回転数と同じ回転数に設定し、運転するバーナの火力が弱火力の時、運転しないバーナ側の燃焼用送風機の回転数を運転するバーナ側の燃焼用送風機の回転数よりも低い回転数に設定するものである。
【発明の効果】
【００１１】
この発明の請求項１によれば、燃料を燃焼させる第一のバーナ及び同じく燃料を燃焼させる第二のバーナによる同時運転又は一方の単独運転を行う燃焼装置において、一方の単独運転の時、運転しないバーナ側の燃焼用送風機の回転数を運転するバーナ側の火力によって設定するので、燃焼ガスが運転しないバーナに流入するのを防止できると共に、燃焼ガスの排気温度が結露の発生が少ない適温となって、給排気トップ付近で排気ガスの温度が低くなっても、排気ガス中の水蒸気の結露の発生を少なくすることができるものである。
【００１２】
又、請求項２によれば、前記運転するバーナの火力が強火力の時、運転しないバーナ側の燃焼用送風機の回転数を運転するバーナ側の燃焼用送風機の回転数よりも高い回転数に設定し、運転するバーナの火力が中火力の時、運転しないバーナ側の燃焼用送風機の回転数を運転するバーナ側の燃焼用送風機の回転数と同じ回転数に設定し、運転するバーナの火力が弱火力の時、運転しないバーナ側の燃焼用送風機の回転数を運転するバーナ側の燃焼用送風機の回転数よりも低い回転数に設定するので、燃焼ガスが運転しないバーナに流入するのを防止できると共に、燃焼ガスの排気温度が結露の発生が少ない適温となって、給排気トップ付近で排気ガスの温度が低くなっても、排気ガス中の水蒸気の結露の発生を少なくすることができるものである。
【００１３】
更に、運転するバーナの火力が強火力の時、運転しないバーナ側の燃焼用送風機の回転数を運転するバーナ側の燃焼用送風機の回転数よりも高い回転数に設定することで、低温の外気を運転するバーナ側の燃焼用空気量よりも多く燃焼ガスに混合させて燃焼ガスの温度を低下させるので、燃焼ガスに含まれる水蒸気が少なくなり、給排気トップ付近で排気ガスの温度が低くなっても、排気ガス中の水蒸気の結露の発生を少なくすることができ、又運転するバーナの火力が中火力の時、運転しないバーナ側の燃焼用送風機の回転数を運転するバーナ側の燃焼用送風機の回転数と同じ回転数に設定することで、それにより燃焼ガスの排気温度が１００℃以上で結露の発生が少ない適温となるので、給排気トップ付近で排気ガスの温度が低くなっても、排気ガス中の水蒸気の結露の発生を少なくすることができ、又転するバーナの火力が弱火力の時、運転しないバーナ側の燃焼用送風機の回転数を運転するバーナ側の燃焼用送風機の回転数よりも低い回転数に設定することで、弱火力により温度が低い燃焼ガスの温度が大きく低下するのを防ぎ、給排気トップ付近で排気ガス中の水蒸気が結露しにくくしたり、給排気トップ付近で氷結が発生しにくくすることができるものである。
【図面の簡単な説明】
【００１４】
【図１】この発明の一実施例を付した燃焼制御装置の概略図。
【図２】同燃焼用送風機の制御のフローチャート図。
【発明を実施するための形態】
【００１５】
次にこの発明に係る燃焼装置を図面に示す一実施例で説明する。
１はポット式バーナからなる床暖房等の温水暖房用のボイラバーナで、バーナ内にボイラ用点火ヒータ２と、燃油を供給するボイラ用ノズル３と、炎を検知するボイラ用フレームロッド４を備え、ボイラ用燃焼用送風機５により燃焼用空気を供給されて燃油を燃焼させるものである。
【００１６】
６はボイラバーナ１の上部に設けられたボイラ用熱交換部で、下方のボイラバーナ１から上昇してくる燃焼ガスと熱交換する熱交換器７を備え、該熱交換器７内を流れる循環液を加熱するものである。
【００１７】
８は膨張タンクで、温水戻り管９から熱交換器７内を通過して加熱された循環液が貯湯され、温水往き管１０が接続されている循環ポンプ１１に加熱された循環液を供給するものである。
【００１８】
１２はポット式バーナからなる室内暖房用のストーブバーナで、バーナ内にストーブ用点火ヒータ１３と、燃油を供給するストーブ用ノズル１４と、炎を検知するストーブ用フレームロッド１５を備え、ストーブ用燃焼用送風機１６により燃焼用空気を供給されて燃油を燃焼させるものである。
【００１９】
１７はストーブバーナ１２の上部に設けられたストーブ用放熱部で、ガラス円筒１８内に燃焼ガスにより加熱されて赤熱するスケルトン１９が設けられ、更に該スケルトン１９の上部に燃焼ガスが通過する放熱器２０が設けられているものである。
【００２０】
２１は定油面器で、油管２２から供給された灯油を一定量貯油し、ストーブ用電磁ポンプ２３によりストーブ用送油管２４を介してストーブ用ノズル１４に灯油を供給すると共に、ボイラ用電磁ポンプ２５によりボイラ用送油管２６を介してボイラ用ノズル３に灯油を供給するものである。
【００２１】
２７は給気管で、一端は給排気トップ（図示せず）に接続され、他端は分岐されてボイラ用燃焼用送風機５とストーブ用燃焼用送風機１６に接続され、給排気トップより流入した外気をボイラ用燃焼用送風機５とストーブ用燃焼用送風機１６に供給するものである。
【００２２】
２８は排気管で、一端は給排気トップ（図示せず）に接続され、他端はボイラ用熱交換部６を通過した燃焼ガスと放熱器２０を通過した燃焼ガスとが合流して接続され、ボイラ用熱交換部６を通過した燃焼ガスと放熱器２０を通過した燃焼ガスとを集合させて給排気トップより屋外に排気するものである。
【００２３】
２９は対流用送風機で、機器本体内に機器外の空気を送風するものである。
３０は湯温サーミスタで、熱交換器７内を通過して加熱された循環液の温度を検知するものである。
【００２４】
次にボイラバーナ１による温水暖房運転について説明する。
まず、定油面器２１からボイラ用電磁ポンプ２５によりボイラ用送油管２６を介してボイラ用ノズル３に灯油を供給し、ボイラバーナ１内で気化してボイラ用点火ヒータ２にて点火され、そこにボイラ用燃焼用送風機５により燃焼用空気を供給されて燃焼し、ボイラ用フレームロッド４により炎を検知して燃焼を継続させる。
【００２５】
燃焼ガスはボイラ用熱交換部６の熱交換器７で循環液と熱交換しながら排気管２８に送られ、給排気トップより屋外に排気するものである。
又、熱交換した循環液は、膨張タンク８を経由して循環ポンプ１１により温水往き管１０に送られるものである。
【００２６】
この時、熱交換した循環液の温度を湯温サーミスタ３０で検知し、その検知した温度が所定温度になるようにボイラバーナ１の火力を調整するものである。
又、循環液の温水出口温度は３０℃から７０℃の範囲で設定でき、３０℃に設定した時ボイラバーナ１の火力は弱火力で燃焼し、５０℃に設定した時ボイラバーナ１の火力は中火力し、７０℃に設定した時ボイラバーナ１の火力は強火力で燃焼するものである。
【００２７】
次にストーブバーナ１２による室内暖房運転について説明する。
まず、定油面器２１からストーブ用電磁ポンプ２３によりストーブ用送油管２４を介してストーブ用ノズル１４に灯油を供給し、ストーブバーナ１２内で気化してストーブ用点火ヒータ１３にて点火され、そこにストーブ用燃焼用送風機１６により燃焼用空気を供給されて燃焼し、ストーブ用フレームロッド１５により炎を検知して燃焼を継続させる。
【００２８】
燃焼ガスはストーブ用放熱部１７のガラス円筒１８や放熱器２０で放熱しながら排気管２８に送られ、給排気トップより屋外に排気するものである。
又、ストーブバーナ１２の火力は手動で強中弱火力に設定でき、又自動運転を設定すると、室温設定ボタンにより設定された室温になるように自動的に火力を調整するものである。
【００２９】
次にボイラバーナ１による温水暖房運転の単独運転又は、ストーブバーナ１２による室内暖房運転の単独運転について図２のフローチャート図により説明する。
【００３０】
まず温水暖房運転又は、室内暖房運転の運転スイッチがオン操作されると（Ｓ１）、一方の運転スイッチのみがオン操作された単独運転か、それとも両方の運転スイッチがオン操作された同時運転かを判断し（Ｓ２）、両方の運転スイッチがオン操作された同時運転の場合は、同時運転制御へと進み（Ｓ３）、一方の運転スイッチのみがオン操作された単独運転の場合は、次に運転するバーナの火力が強火力かを判断し（Ｓ４）、強火力の場合は運転するバーナ側の燃焼用送風機の回転数よりも、運転しないバーナ側の燃焼用送風機の回転数を高く設定して動作させる。（Ｓ５）
【００３１】
これにより 強火力により燃焼する燃焼ガスの温度が高温となるため、燃焼ガスに含まれる水蒸気が多くなるが、運転しないバーナ側の燃焼用送風機の回転数を、運転するバーナ側の燃焼用送風機の回転数よりも高い回転数で設定して動作させることにより、燃焼ガスが運転しないバーナに流入するのを完全に防止できると共に、低温の外気を運転するバーナ側の燃焼用空気量よりも多く燃焼ガスに混合させて燃焼ガスの温度を低下させるので、燃焼ガスに含まれる水蒸気が少なくなり、給排気トップ付近で排気ガスの温度が低くなっても、排気ガス中の水蒸気の結露の発生を少なくすることができるものである。
【００３２】
又、（Ｓ４）で運転するバーナの火力が強火力ではない場合は、次に運転するバーナの火力が中火力かを判断し（Ｓ６）、中火力の場合は運転するバーナ側の燃焼用送風機の回転数と、運転しないバーナ側の燃焼用送風機の回転数を同じ回転数に設定して動作させる。（Ｓ７）
【００３３】
これにより燃焼ガスが運転しないバーナに流入するのを十分防止できると共に、低温の外気を運転するバーナ側の燃焼用空気量と同量燃焼ガスに混合させて燃焼ガスの温度を低下させ、それにより燃焼ガスの排気温度が１００℃以上で結露の発生が少ない適温となるので、給排気トップ付近で排気ガスの温度が低くなっても、排気ガス中の水蒸気の結露の発生を少なくすることができるものである。
【００３４】
又、（Ｓ６）で運転するバーナの火力が中火力ではない場合は、運転するバーナの火力が弱火力であると判断し、運転するバーナ側の燃焼用送風機の回転数よりも、運転しないバーナ側の燃焼用送風機の回転数を低く設定して動作させる。（Ｓ８）
【００３５】
これにより燃焼ガスが運転しないバーナに流入しにくくすることができると共に、弱火力により温度が低い燃焼ガスの温度が大きく低下するのを防ぎ、それにより給排気トップ付近で排気ガス中の水蒸気が結露しにくくしたり、給排気トップ付近で氷結が発生しにくくすることができるものである。
【００３６】
そして（Ｓ５）、（Ｓ７）、（Ｓ８）で運転しないバーナ側の燃焼用送風機の回転数を設定した後、運転スイッチがオフ操作されると（Ｓ９）、運転を停止し（Ｓ１０）、運転スイッチがオフ操作されないと（Ｓ２）に戻るものである。
【００３７】
以上のように運転するバーナの火力が強火力の時、運転しないバーナ側の燃焼用送風機の回転数を、運転するバーナ側の燃焼用送風機の回転数よりも高い回転数で設定して動作させ、運転するバーナの火力が中火力の時、運転しないバーナ側の燃焼用送風機の回転数を、運転するバーナ側の燃焼用送風機の回転数と同じ回転数に設定して動作させ、運転するバーナの火力が弱火力の時、運転しないバーナ側の燃焼用送風機の回転数を、運転するバーナ側の燃焼用送風機の回転数よりも低い回転数で設定して動作させるので、燃焼ガスが運転しないバーナに流入するのを防止できると共に、燃焼ガスの排気温度が結露の発生が少ない適温となって、給排気トップ付近で排気ガスの温度が低くなっても、排気ガス中の水蒸気の結露の発生を少なくすることができるものである。
【００３８】
尚、運転しないバーナ側の燃焼用送風機の回転数は運転するバーナの火力により一様に設定しているがこれに限定されず、運転するバーナの火力が強火力の時、運転しないバーナ側の燃焼用送風機の回転数を運転するバーナ側の燃焼用送風機の回転数よりも高い回転数で設定して動作させるものの、排気ガスの温度を検知してそれが所定温度となるように運転しないバーナ側の燃焼用送風機の回転数を設定したり、運転するバーナの火力が弱火力の時、運転しないバーナ側の燃焼用送風機の回転数を、運転するバーナ側の燃焼用送風機の回転数よりも低い回転数で動作させるものの、排気ガスの温度を検知してそれが所定温度となるように運転しないバーナ側の燃焼用送風機の回転数を設定してもよいものである。
【符号の説明】
【００３９】
１  第一のバーナ
５  第一の燃焼用送風機
１２  第二のバーナ
１６  第二の燃焼用送風機
２７  給気管
２８  排気管
【図１】
2016180571.tif 000003
【図２】
2016180571.tif 000004